(57)【要約】【課題】レコーダにおいて、録画予約したい放送番組が複数の時間帯に点在していたとしても、録画予約操作を簡単に行えるようにする。【解決手段】レコーダは、ＴＶ受像機の表示画面に放送番組表Ｌ１を表示させる表示制御回路と、リモコンとを備える。この表示制御回路は、上記表示画面を複数の画面に分割し、互いに異なる時間帯の複数の放送番組表Ｌ１を表示させる分割モードと、表示画面を分割せずに表示画面に放送番組表Ｌ１を表示させる標準モードとを有する。リモコンは、上記分割モードと上記標準モードの切替えが可能である。この構成によれば、録画予約したい放送番組が複数の時間帯に点在していても、分割モードへの切替えにより、それらの放送番組を複数の放送番組表Ｌ１のいずれかに表示できる可能性が高くなる。従って、放送番組表Ｌ１をスクロールさせて、表示する放送番組表Ｌ１の時間帯を調整する頻度が少なくて済む。【選択図】図３
2012199682.tif 000002
【特許請求の範囲】
【請求項１】
装置に接続された表示手段の表示画面に放送番組表を表示させる表示制御部と、
前記表示画面に表示された放送番組表の中から録画予約したい放送番組を選択するための選択手段を有する操作部と、を備えた録画予約装置において、
前記表示制御部は、前記表示画面を複数の画面に分割し、それら分割された画面にそれぞれ、互いに異なる時間帯の複数の放送番組表を表示させる分割モードと、前記表示画面を分割せずに該表示画面に放送番組表を表示させる標準モードとを有しており、
前記操作部は、前記表示制御部の分割モードと標準モードとを切り替えるためのモード切替え手段を有することを特徴とする録画予約装置。
【請求項２】
前記表示制御部は、前記表示画面に表示される放送番組表の時間帯に応じた位置にマークを有する時刻バーを、該放送番組表毎に該表示画面に表示させることを特徴とする請求項１に記載の録画予約装置。
【請求項３】
前記時刻バーは、スクロールバーであって、該時刻バーのマークは、前記表示画面上で移動可能とされており、
前記表示制御部は、前記マークの位置に応じて、前記表示画面に表示される放送番組表の時間帯を調整することを特徴とする請求項２に記載の録画予約装置。
【請求項４】
前記操作部は、時刻を入力可能な時刻入力手段をさらに有し、
前記選択手段は、前記表示画面上で前記時刻バーを選択可能とされており、
前記表示制御部は、前記選択手段により前記表示画面上で前記時刻バーが選択された状態で、前記時刻入力手段により時刻が入力されたとき、その入力された時刻に応じて、該表示画面に表示される放送番組表の時間帯を調整することを特徴とする請求項２又は請求項３に記載の録画予約装置。
【発明の詳細な説明】
【技術分野】
【０００１】
本発明は、放送番組の録画を予約するための録画予約装置に関する。
【背景技術】
【０００２】
従来から、装置に接続されたテレビジョン受像機（以下、ＴＶ受像機という）の表示画面に放送番組表を表示し、その放送番組表から放送番組の録画予約ができるようにされた録画予約装置が知られている（例えば、特許文献１乃至特許文献５参照）。
【０００３】
ところで、１日分の放送番組表を表示画面に表示しても、放送番組表の文字等が小さくなり、放送番組表がユーザにとって見難くなることがある。そこで、上記録画予約装置は、１日分の放送番組表のうち、一部の時間帯の放送番組表だけを表示画面に表示する。そして、上記録画予約装置は、放送番組表上でカーソルが移動されると、放送番組表をスクロールさせ、表示される放送番組表の時間帯を調整する。
【０００４】
しかしながら、上記録画予約装置においては、１日のうちで録画予約したい放送番組が複数あり、さらにそれらの放送番組が様々な時間帯に点在している場合には、放送番組表から、それらの放送番組を選択するときに、カーソルを広い範囲で移動させなければならず、操作に手間が掛かり、ユーザにとって操作が面倒であった。
【先行技術文献】
【特許文献】
【０００５】
【特許文献１】特開２００５−１３００８３号公報
【特許文献２】特開２００２−０８４４６９号公報
【特許文献３】特開２０００−２４４８３５号公報
【特許文献４】特開平１１−２８４９２９号公報
【特許文献５】特開平０９−２９８６９７号公報
【発明の概要】
【発明が解決しようとする課題】
【０００６】
本発明は、上記の従来の問題を解決するためになされたものであり、録画予約したい放送番組が複数の時間帯に点在していたとしても、録画予約操作を簡単に行うことができる録画予約装置を提供することを目的とする。
【課題を解決するための手段】
【０００７】
上記目的を達成するために本発明の録画予約装置は、装置に接続された表示手段の表示画面に放送番組表を表示させる表示制御部と、前記表示画面に表示された放送番組表の中から録画予約したい放送番組を選択するための選択手段を有する操作部と、を備えた録画予約装置において、前記表示制御部は、前記表示画面を複数の画面に分割し、それら分割された画面にそれぞれ、互いに異なる時間帯の複数の放送番組表を表示させる分割モードと、前記表示画面を分割せずに該表示画面に放送番組表を表示させる標準モードとを有しており、前記操作部は、前記表示制御部の分割モードと標準モードとを切り替えるためのモード切替え手段を有することを特徴とする。
【０００８】
この発明において、前記表示制御部は、前記表示画面に表示される放送番組表の時間帯に応じた位置にマークを有する時刻バーを、該放送番組表毎に該表示画面に表示させることが望ましい。
【０００９】
この発明において、前記時刻バーは、スクロールバーであって、該時刻バーのマークは、前記表示画面上で移動可能とされており、前記表示制御部は、前記マークの位置に応じて、前記表示画面に表示される放送番組表の時間帯を調整することが望ましい。
【００１０】
この発明において、前記操作部は、時刻を入力可能な時刻入力手段をさらに有し、前記選択手段は、前記表示画面上で前記時刻バーを選択可能とされており、前記表示制御部は、前記選択手段により前記表示画面上で前記時刻バーが選択された状態で、前記時刻入力手段により時刻が入力されたとき、その入力された時刻に応じて、該表示画面に表示される放送番組表の時間帯を調整することが望ましい。
【発明の効果】
【００１１】
本発明によれば、録画予約したい放送番組が複数の時間帯に点在していても、表示制御部のモードを分割モードに切り替えることにより、それらの放送番組を、互いに時間帯が異なる複数の放送番組表のいずれかに表示できる可能性が高くなる。従って、例えば放送番組表をスクロールさせて、表示される放送番組表の時間帯を調整する頻度が少なくて済む。そのため、放送番組表を用いた録画予約操作の手間を減らすことができ、操作が簡単になる。
【図面の簡単な説明】
【００１２】
【図１】本発明の一実施形態に係るハードディスクレコーダを備えた録画再生システムの構成を示す図。
【図２】上記ハードディスクレコーダの電気的ブロック図。
【図３】（ａ）は上記ハードディスクレコーダの表示制御回路が標準モードであるときの放送番組表を示す図、（ｂ）は同表示制御回路が分割モードであるときの放送番組表を示す図。
【発明を実施するための形態】
【００１３】
本発明の一実施形態に係るハードディスクレコーダ（以下、レコーダという）を備えた録画再生システムについて図面を参照して説明する。図１は、その録画再生システムの構成を示す。この録画再生システム１は、本実施形態のレコーダ２（録画予約装置）と、レコーダ２に接続されるテレビジョン受像機（以下、ＴＶ受像機という）３（表示手段）とを備える。レコーダ２とＴＶ受像機３とは、ＨＤＭＩ（High Definition Multimedia Interface）規格に準拠した通信方式を採用しており、ＨＤＭＩケーブル４により互いに接続されている。レコーダ２とＴＶ受像機３との間の通信方式はこれに限定されない。レコーダ２は、レコーダ２を操作するためのリモートコントローラ（以下、リモコンという）２０（操作部）を有する。
【００１４】
レコーダ２は、デジタルテレビジョン放送信号（以下、放送信号という）を受信し、その受信された放送信号からＥＰＧ（Electronic Program Guide）、すなわち、電子化された放送番組表を取得し、その放送番組表を分割モードと標準モードのいずれかでＴＶ受像機３の表示画面３ａに表示させる。分割モードでは、表示画面３ａが複数の画面に分割され、それらの画面にそれぞれ、互いに時間帯の異なる複数の放送番組表が表示される。標準モードでは、表示画面３ａは分割されずに表示画面３ａに放送番組表が表示される。レコーダ２は、リモコン２０の操作に基づき、表示画面３ａに表示された放送番組表を基に録画予約を行うことが可能であり、その予約内容に基づいて放送番組を録画する。レコーダ２は、リモコン２０の操作に基づき、その録画された放送番組を再生してＴＶ受像機３に表示させる。
【００１５】
図２は、レコーダ２の電気的構成を示す。レコーダ２は、上記のリモコン２０に加え、放送信号をアンテナ２１ａを介して受信し、受信チャンネルを選局するチューナ２１と、チューナ２１により選局された受信チャンネルの放送信号を復調する復調回路２２と、復調回路２２により復調された放送信号をＴＳ（Transport Stream）デコードすることにより、当該放送信号から、放送番組の映像信号、音声信号（以下、映像音声信号と総称）、及びデータ信号を分離する分離回路２３と、分離回路２３により分離された映像音声信号が記録されるハードディスク２４ａを内蔵したＨＤＤ２４とを備える。
【００１６】
リモコン２０は、各種のキー２０ａを有し、それらのキー２０ａには、表示画面３ａに表示される放送番組表の中から放送番組を選択するためのカーソルキー２０ｂ（選択手段）と、カーソルキー２０ｂの操作により選択された放送番組を予約録画の対象に決定するためのＥｎｔｅｒキー２０ｃと、チューナ２１の受信チャンネルを選局するための選局キー２０ｄとが含まれる。リモコン２０は、各種のキー２０ａの操作により、放送番組表の表示／非表示の切替え、上記分割モード／上記標準モードの切替え、及び録画した放送番組の再生が可能であり、キー２０ａの操作内容に対応した操作信号を無線送信する。分離回路２３により分離されるデータ信号には、ＥＰＧの情報が含まれる。ＨＤＤ２４は、ハードディスク２４ａに対して映像音声信号の読み書きを行う。
【００１７】
また、レコーダ２は、分離回路２３により分離された映像音声信号をデコードする映像音声デコーダ２５と、映像音声デコーダ２５によりデコードされた映像音声信号をＴＶ受像機３に送出する通信回路２６とを備える。映像音声デコーダ２５は、分離回路２３から出力される映像音声信号をリアルタイムでデコードするか、又はハードディスク２４ａに一旦記録され、その後、ＨＤＤ２４によりハードディスク２４ａから読み出された映像音声信号をデコードする。通信回路２６は、ＨＤＭＩ規格に準拠し、ＨＤＭＩ端子２６ａを有する。通信回路２６は、ＨＤＭＩ端子２６ａに接続されるＨＤＭＩケーブル４を介してＴＶ受像機３と各種情報を送受信する。
【００１８】
さらに、レコーダ２は、分離回路２３により分離されたデータ信号をデコードするデータデコーダ２７と、リモコン２０から無線送信される各種操作信号を無線受信するリモコン信号受信回路２８と、 リモコン信号受信回路２８により受信された各種操作信号に従って、レコーダ２の各部及びＴＶ受像機３を制御する制御回路２９とを備える。制御回路２９は、通信回路２６を介して表示画面３ａの表示制御を行う表示制御回路２９ａ（表示制御部）を有する。表示制御回路２９ａは、キー２０ａの操作により放送番組表の表示が指示されたとき、データデコーダ２７によりデコードされたデータ信号から放送番組表の情報を抽出し、その放送番組表を表示画面３ａに表示させる。
【００１９】
制御回路２９は、カーソルキー２０ｂ及びＥｎｔｅｒキー２０ｃの操作により放送番組表を基に録画予約がなされたとき、タイマ（不図示）で現在時刻を測り、現在時刻が、録画予約された放送番組の放送開始時刻になったとき、ＨＤＤ２４に指示を出し、その放送番組を記録させる。そして、制御回路２９は、現在時刻が上記放送番組の放送終了時刻になったとき、ＨＤＤ２４に対して記録停止を指示する。
【００２０】
図２に加え、図３を参照して、表示制御回路２９ａにおける放送番組表Ｌ１の表示制御処理について説明する。表示制御回路２９ａは、表示画面３ａを分割せずに表示画面３ａに放送番組表Ｌ１を表示させる標準モード（図３（ａ））と、表示画面３ａを複数（例えば２つ）の画面に分割し、それら分割された画面にそれぞれ、互いに異なる時間帯の複数（例えば２つ）の放送番組表Ｌ１を表示させる分割モード（図３（ｂ）参照）とを有する。分割モードにおいて、表示画面３ａに表示される各放送番組表Ｌ１の時間帯（以下、表示時間帯という）は、互いに一部が重なっていてもよいし、重なっていなくてもよい。それらの表示時間帯は、例えば朝の時間帯と晩の時間帯であり、予め設定可能である。放送番組表Ｌ１を表示させるときの最初のモードは、標準モードと分割モードのうち、予め設定されたモードであってもよいし、前回、放送番組表Ｌ１を表示したときの最後のモードであってもよい。表示制御回路２９ａは、放送番組表Ｌ１の中で、カーソルキー２０ｂによる選択領域Ａ１を他の箇所の色と異ならせることにより、選択領域Ａ１をユーザに視認させる。放送番組表Ｌ１は、縦方向に時間を示し、横方向にチャンネル（ＣＨ）を示すが、反対であってもよい。
【００２１】
表示制御回路２９ａは、標準モードと分割モードのいずれであっても、放送番組表Ｌ１の表示時間帯に応じた位置にマークＭ１を有する時刻バーＢ１を、放送番組表Ｌ１毎に表示画面３ａに表示させる。時刻バーＢ１は、全長が１日（０時から２４時までの時間）に対応しており、マークＭ１は、上記表示時間帯が１日の中で何処に位置しているかを、その位置により示す。時刻バーＢ１は、放送番組表Ｌ１の時間方向に沿って延びており、表示画面３ａに表示されている時刻バーＢ１の長さは、表示画面３ａに表示されている放送番組表Ｌ１の時間方向の長さと略同じである。
【００２２】
リモコン２０は、カーソルキー２０ｂの操作により表示画面３ａ上で選択領域Ａ１を移動させて時刻バーＢ１を選択することが可能であり、表示制御回路２９ａは、カーソルキー２０ｂ（モード切替え手段を構成）の操作により時刻バーＢ１が選択され、その状態でＥｎｔｅｒキー２０ｃ（モード切替え手段を構成）が押下されるとき、標準モードと分割モードとを切り替える。標準モードにおいて、上記キー操作がなされると、表示制御回路２９ａは分割モードになり、分割モードにおいて、上記キー操作がなされると、表示制御回路２９ａは標準モードになる。
【００２３】
リモコン２０は、カーソルキー２０ｂを操作することにより表示画面３ａ上で選択領域Ａ１を移動させて、選択対象を放送番組表Ｌ１と時刻バーＢ１との間で切り替えることが可能なだけでなく、分割モードにおいて選択対象を放送番組表Ｌ１間及び時刻バーＢ１間で切り替えることが可能である。これらの切替え用として、キー２０ａには専用キーが含まれていてもよいし、キー２０ａのうち、ＴＶ受像機３への入力の切替えキーが兼用されても構わない。また、表示制御回路２９ａが、上記の各切替え内容に対応付けられた各色のアイコンを表示画面３ａに表示するものであって、キー２０ａに、それらの色と同色のカラーキーが含められており、ユーザがカラーキーを操作することにより、そのカラーキーの色に対応付けられた内容の切替えが実行されてもよい。
【００２４】
時刻バーＢ１は、スクロールバーであって、マークＭ１は、表示画面３ａ上で移動可能とされており、表示制御回路２９ａは、マークＭ１の位置に応じて、放送番組表Ｌ１をスクロールさせることにより放送番組表Ｌ１の表示時間帯を調整する。標準モードと分割モードのいずれであっても、マークＭ１を移動させることにより、ユーザが１日の全時間帯の放送番組表Ｌ１を見ることが可能である。時刻バーＢ１において正午に対応する位置には、正午を示すラインマークＭ２が表示される。
【００２５】
ところで、選局キー２０ｄ（時刻入力手段）は、放送番組表Ｌ１の表示時間帯を指定するための時刻入力に兼用される。表示制御回路２９ａは、カーソルキー２０ｂの操作により表示画面３ａ上で時刻バーＢ１が選択された状態で、選局キー２０ｄの操作により時刻が入力されたとき、その入力時刻に応じて放送番組表Ｌ１の表示時間帯を調整する。この調整においては、入力時刻が表示時間帯の先頭時刻になるように表示時間帯が調整される。上記調整は、標準モードと分割モードのいずれでも行うことができる。分割モード（図３（ｂ）参照）の下段の放送番組表Ｌ１を例に挙げると、その放送番組表Ｌ１では、選局キー２０ｄにより「１」「９」「０」「０」が入力され、表示時間帯の先頭が１９時とされている。
【００２６】
次に、図２及び図３を参照し、制御回路２９における放送番組表Ｌ１を用いた録画予約処理について説明する。カーソルキー２０ｂの操作により放送番組表Ｌ１上で放送番組が選択され、Ｅｎｔｅｒキー２０ｃが押下されると、制御回路２９は、その放送番組を予約録画対象として認識する。そして、制御回路２９は、その録画予約された放送番組のチャンネル、放送開始時刻及び放送終了時刻をメモリ（不図示）に記憶する。
【００２７】
本実施形態においては、録画予約したい放送番組が複数の時間帯に点在していて、標準モードの放送番組表Ｌ１では同時に表示できなくても、表示制御回路２９ａのモードを分割モードに切り替えることにより、それらの放送番組を、互いに時間帯が異なる複数の放送番組表Ｌ１のいずれかに表示できる可能性が高くなり、従って、放送番組表Ｌ１をスクロールさせて放送番組表Ｌ１の表示時間帯を調整する頻度が少なくて済む。たとえ録画予約したい放送番組がそれら複数の放送番組表Ｌ１に表示されなかったとしても、それらの放送番組を表示させるべく選択領域Ａ１又はマークＭ１を移動させて表示時間帯を調整する範囲は、標準モードと比べて少なくて済む。従って、放送番組表Ｌ１を用いた録画予約操作の手間を減らすことができ、操作が簡単になる。
【００２８】
また、表示制御回路２９ａが標準モードと分割モードのいずれであっても、時刻バーＢ１が放送番組表Ｌ１毎に表示画面３ａに表示されるので、時刻バーＢ１のマークＭ１の位置によって、各放送番組表Ｌ１の表示時間帯を直感的に把握することができる。
【００２９】
また、時刻バーＢ１は、スクロールバーなので、表示画面３ａが小さくても、ユーザが、時刻バーＢ１のマークＭ１を移動させることにより、放送番組表Ｌ１の表示時間帯を順に変更し１日分の放送番組表Ｌ１を見ることができる。また、表示画面３ａ上で時刻バーＢ１を選択し、時刻を入力するだけで、放送番組表Ｌ１の表示時間帯を変更することができるので、変更操作が簡単になる。
【００３０】
また、時刻バーＢ１においては、ラインマークＭ２が表示されるので、ラインマークＭ２を基準にしてバー全体に対するマークＭ１の位置を把握することができ、従って、マークＭ１の位置を把握し易くなる。そのため、マークＭ１の位置で示される放送番組表Ｌ１の表示時間帯を迅速に認識することができる。
【００３１】
なお、本発明は、上記の実施形態の構成に限定されるものでなく、使用目的に応じ、様々な変形が可能である。例えば、時刻バーＢ１において、既に録画予約済みである放送番組の時間帯に対応する位置に、マークが表示されていてもよい。また、表示画面３ａには、放送番組表Ｌ１のチャンネル方向に沿って延びたチャンネルバーが表示され、そのチャンネルバーをスクロールバーとし、そのスクロールバーのマークを移動させることにより、全チャンネルについて放送番組表を表示可能とされていてもよい。
【符号の説明】
【００３２】
２  レコーダ（録画予約装置）
２０  リモコン（操作部）
２０ａ  キー
２０ｂ  カーソルキー（選択手段、モード切替え手段）
２０ｃ  Ｅｎｔｅｒキー（モード切替え手段）
２０ｄ  選局キー（時刻入力手段）
２９ａ  表示制御回路（表示制御部）
３  ＴＶ受像機（表示手段）
３ａ  表示画面
Ｂ１  時刻バー
Ｌ１  放送番組表
Ｍ１  マーク
【図１】
2012199682.tif 000003
【図２】
2012199682.tif 000004
【図３】
2012199682.tif 000005